【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
走査線と信号線とが交差する部分に配され、電気光学素子と、保持容量と、サンプリングトランジスタと、ドライブトランジスタと、電源と該ドライブトランジスタとの間に接続しているスイッチングトランジスタとを備え、該ドライブトランジスタのゲートとソース間に該保持容量が接続している画素回路の駆動方法であって、
前記サンプリングトランジスタが走査線によって選択された時、該信号線から入力信号をサンプリングして該保持容量に保持する動作と、
前記スイッチングトランジスタがオン状態の際、前記ドライブトランジスタが、該保持容量に保持された信号電圧に応じて該電気光学素子を電流駆動する動作と、
該電気光学素子の電流駆動に先だって該ドライブトランジスタの閾電圧を検知し該検知した電圧を該保持容量に保持する補正動作とを含み、
前記補正動作は、
該ドライブトランジスタがオン状態となる所定の電圧を該ドライブトランジスタのゲートに印加する第１の動作を含む画素回路の駆動方法。
【請求項２】
前記補正動作は、
該第１の動作でオン状態にある該ドライブトランジスタに電流を流し、該ドライブトランジスタのゲートとソース間の電圧を小さくしてその閾電圧を検知する第２の動作を含む請求項１記載の画素回路の駆動方法。
【請求項３】
前記スイッチングトランジスタは、該第２の動作を行う時オン状態にあって該ドライブトランジスタに電流を流す請求項２記載の画素回路の駆動方法。
【請求項４】
前記補正動作は、
該ドライブトランジスタのゲートに所定の電圧を印加して、該ドライブトランジスタをオン状態とする一方該電気光学素子を逆バイアス状態にし、
該ドライブトランジスタに電流を流す一方逆バイアス状態の該電気光学素子には電流が流れないようにした請求項１記載の画素回路の駆動方法。
【請求項５】
走査線と信号線とが交差する部分に配されており、
電気光学素子と、
保持容量と、
サンプリングトランジスタと、
ドライブトランジスタと、
電源と該ドライブトランジスタとの間に接続しているスイッチングトランジスタとを備え、
該ドライブトランジスタのゲートとソース間に該保持容量が接続し、
前記サンプリングトランジスタは走査線によって選択された時、該信号線から入力信号をサンプリングして該保持容量に保持し、
前記スイッチングトランジスタがオン状態の際、前記ドライブトランジスタは、該保持容量に保持された信号電圧に応じて該電気光学素子を電流駆動し、
該電気光学素子の電流駆動に先だって該ドライブトランジスタの閾電圧を検知し該検知した電圧を該保持容量に保持する補正手段を含み、
前記補正手段は、
該ドライブトランジスタがオン状態となる所定の電圧を該ドライブトランジスタのゲートに印加する第１の動作を行う画素回路。
【請求項６】
前記補正手段は、
該第１の動作でオン状態にある該ドライブトランジスタに電流を流し、該ドライブトランジスタのゲートとソース間の電圧を小さくしてその閾電圧を検知する第２の動作を行う請求項５記載の画素回路。
【請求項７】
前記スイッチングトランジスタは、該第２の動作を行う時オン状態にあって該ドライブトランジスタに電流を流す請求項６記載の画素回路。
【請求項８】
前記補正手段は、
該ドライブトランジスタのゲートに所定の電圧を印加して、該ドライブトランジスタをオン状態とする一方該電気光学素子を逆バイアス状態にし、
該ドライブトランジスタに電流を流す一方逆バイアス状態の該電気光学素子には電流が流れないようにした請求項５記載の画素回路。
【請求項９】
走査線と信号線とが交差する部分に配されており、
電気光学素子と、
保持容量と、
サンプリングトランジスタと、
ドライブトランジスタと、
電源と該ドライブトランジスタとの間に接続しているスイッチングトランジスタと、    検知トランジスタとを備え、
該ドライブトランジスタのゲートとソース間に該保持容量が接続し、
該ドライブトランジスタのゲートと該信号線との間に該サンプリングトランジスタが接続しており、
前記サンプリングトランジスタは走査線によって選択された時、該信号線から入力信号をサンプリングして該保持容量に保持し、
前記スイッチングトランジスタがオン状態の際、前記ドライブトランジスタは、該保持容量に保持された信号電圧に応じて該電気光学素子を電流駆動し、
該電気光学素子の電流駆動に先だって該ドライブトランジスタの閾電圧を検知し該検知した電圧を該保持容量に保持する補正手段を含み、
前記補正手段は、
該ドライブトランジスタがオン状態となる所定の電圧を該検知トランジスタを介して該ドライブトランジスタのゲートに印加する第１の動作を行う画素回路。
【請求項１０】
前記補正手段は、
該第１の動作でオン状態にある該ドライブトランジスタに電流を流し、該ドライブトランジスタのゲートとソース間の電圧を小さくしてその閾電圧を検知する第２の動作を行う請求項９記載の画素回路。
【請求項１１】
前記スイッチングトランジスタは、該第２の動作を行う時オン状態にあって該ドライブトランジスタに電流を流す請求項１０記載の画素回路。
【請求項１２】
前記補正手段は、
該ドライブトランジスタのゲートに所定の電圧を印加して、該ドライブトランジスタをオン状態とする一方該電気光学素子を逆バイアス状態にし、
該ドライブトランジスタに電流を流す一方逆バイアス状態の該電気光学素子には電流が流れないようにした請求項９記載の画素回路。
【請求項１３】
走査線と信号線とが交差する部分に配されており、
電気光学素子と、
保持容量と、
サンプリングトランジスタと、
ドライブトランジスタと、
電源と該ドライブトランジスタとの間に接続しているスイッチングトランジスタと、    検知トランジスタとを備え、
該ドライブトランジスタのゲートとソース間に該保持容量が接続し、
該ドライブトランジスタのゲートと該信号線との間に該サンプリングトランジスタが接続しており、
前記サンプリングトランジスタは走査線によって選択された時、該信号線から入力信号をサンプリングして該保持容量に保持し、
前記スイッチングトランジスタがオン状態の際、前記ドライブトランジスタは、該保持容量に保持された信号電圧に応じて該電気光学素子を電流駆動し、
該ドライブトランジスタがオン状態となる所定の電圧を該検知トランジスタを介して該ドライブトランジスタのゲートに印加した後、該ドライブトランジスタのソース電位とゲート電位を近づける補正手段を有する画素回路。
【請求項１４】
前記補正手段は、
該オン状態にある該ドライブトランジスタに電流を流し、該ドライブトランジスタのゲートとソース間の電圧を小さくしてその閾電圧を検知する請求項１３記載の画素回路。
【請求項１５】
前記補正手段は、該スイッチングトランジスタをオン状態において該ドライブトランジスタに電流を流す請求項１４記載の画素回路。
【請求項１６】
前記補正手段は、
該ドライブトランジスタのゲートに所定の電圧を印加して、該ドライブトランジスタをオン状態とする一方該電気光学素子を逆バイアス状態にし、
該ドライブトランジスタに電流を流す一方逆バイアス状態の該電気光学素子には電流が流れないようにした請求項１３記載の画素回路。
【手続補正２】
【補正対象書類名】明細書
【補正対象項目名】００２０
【補正方法】変更
【補正の内容】
【００２０】
係る目的を達成する為に以下の手段を講じた。即ち本発明は、走査線と信号線とが交差する部分に配され、電気光学素子と、保持容量と、サンプリングトランジスタと、ドライブトランジスタと、電源と該ドライブトランジスタとの間に接続しているスイッチングトランジスタとを備え、該ドライブトランジスタのゲートとソース間に該保持容量が接続している画素回路の駆動方法であって、前記サンプリングトランジスタが走査線によって選択された時、該信号線から入力信号をサンプリングして該保持容量に保持する動作と、前記スイッチングトランジスタがオン状態の際、前記ドライブトランジスタが、該保持容量に保持された信号電圧に応じて該電気光学素子を電流駆動する動作と、該電気光学素子の電流駆動に先だって該ドライブトランジスタの閾電圧を検知し該検知した電圧を該保持容量に保持する補正動作とを含み、前記補正動作は、該ドライブトランジスタがオン状態となる所定の電圧を該ドライブトランジスタのゲートに印加する第１の動作を含むことを特徴とする。
【手続補正３】
【補正対象書類名】明細書
【補正対象項目名】００２３
【補正方法】変更
【補正の内容】
【００２３】
又本発明は、走査線と信号線とが交差する部分に配された画素回路であって、電気光学素子と、保持容量と、サンプリングトランジスタと、ドライブトランジスタと、電源と該ドライブトランジスタとの間に接続しているスイッチングトランジスタとを備え、該ドライブトランジスタのゲートとソース間に該保持容量が接続し、前記サンプリングトランジスタは走査線によって選択された時、該信号線から入力信号をサンプリングして該保持容量に保持し、前記スイッチングトランジスタがオン状態の際、前記ドライブトランジスタは、該保持容量に保持された信号電圧に応じて該電気光学素子を電流駆動し、該電気光学素子の電流駆動に先だって該ドライブトランジスタの閾電圧を検知し該検知した電圧を該保持容量に保持する補正手段を含み、前記補正手段は、該ドライブトランジスタがオン状態となる所定の電圧を該ドライブトランジスタのゲートに印加する第１の動作を行うことを特徴とする。
又該ドライブトランジスタのゲートと該信号線との間に該サンプリングトランジスタが接続しており、更に検知トランジスタを備え、前記補正手段は、該ドライブトランジスタがオン状態となる所定の電圧を該検知トランジスタを介して該ドライブトランジスタのゲートに印加する第１の動作を行うことを特徴とする。
或いは前記補正手段は、該ドライブトランジスタがオン状態となる所定の電圧を該検知トランジスタを介して該ドライブトランジスタのゲートに印加した後、該ドライブトランジスタのソース電位とゲート電位を近づけるよう動作する。